【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
ニューラル構成要素リプレイの方法であって、
１つまたは複数の基準ニューロンを用いて複数の求心性ニューロン出力内のパターンを参照することと、
構造可塑性学習則を使用して１つまたは複数の関係側面ニューロンを用いて、前記複数の求心性ニューロン出力内の前記パターンと前記１つまたは複数の基準ニューロンの出力との間の１つまたは複数の関係側面を学習することと、
前記１つまたは複数の基準ニューロンによって前記参照されたパターンと同じパターンを出力するように前記複数の求心性ニューロンのうちの１つまたは複数を誘発することとを備える、方法。
【請求項２】
無監督で学習することが、前記パターン、前記参照、または前記関係側面のうちの少なくとも１つを学習するために使用され、
前記無監督で学習することが、ニューロンに関連するシナプスの重み、遅延および入力を制御するスパイクタイミング依存可塑性および前記構造可塑性学習則を備え、
前記構造可塑性学習則が、遅延の可変性、遅延の範囲、入力、重み範囲、または重み可変性のうちの少なくとも１つを備える前記ニューロンまたはそれらのプロセスの間の構造関係によって制約される、請求項１に記載の方法。
【請求項３】
前記構造可塑性学習則に対する制約モデルが、平行または十字型の（cruciate）樹枝状の軸および軸索プロセスに対応する遅延、樹枝状の軸または軸索プロセスの近接性または広がりに基づく入力ニューロン、あるいは根元または頂点の樹枝状プロセスに関する遅延のうちの少なくとも１つに対する制限を備える、請求項１に記載の方法。
【請求項４】
前記関係側面ニューロンのそれぞれまたは前記基準ニューロンのそれぞれの少なくとも一方が、複数のパターン照合ニューロンに潜在的に結合され、
前記潜在的結合が、再使用可能なシナプス結合を備え、
前記シナプスが、前記シナプス結合の重みおよび前記シナプスが結合するニューロンのプロセスまたは前記ニューロンの構造的制約に基づく新しい遅延を伴って再使用される、請求項１に記載の方法。
【請求項５】
前記関係側面ニューロンのそれぞれまたは前記基準ニューロンのそれぞれの少なくとも一方が、複数のパターン照合ニューロンに潜在的に結合され、
前記潜在的結合が、可変遅延を有するシナプス結合を備え、
前記遅延が、前記シナプス結合の重みおよび前記シナプスが結合するニューロンのプロセスまたは前記ニューロンの構造的制約に基づいて変化させられる、請求項１に記載の方法。
【請求項６】
前記関係側面ニューロンのそれぞれまたは前記基準ニューロンのそれぞれの少なくとも一方が、複数の結合によって複数のパターン照合ニューロンに潜在的に結合され、
前記潜在的結合が、遅延を有するシナプス結合を備え、
前記複数の結合が、前記シナプスが結合するニューロンのプロセスまたは前記ニューロンの構造的制約に基づいて設定される前記遅延の範囲を有する、請求項１に記載の方法。
【請求項７】
前記１つまたは複数の関係側面ニューロンが、ニューロン間に可変遅延を含むシナプス結合パラメータの範囲を許容する、基準ニューロンの軸索プロセスに平行な樹枝状プロセスを有する、請求項１に記載の方法。
【請求項８】
前記１つまたは複数の関係側面ニューロンが、前記１つまたは複数の関係側面ニューロンを求心性軸索に結合する、頂点のプロセスより大きい遅延を有する末端の樹枝状プロセスと関連付けられる、請求項１に記載の方法。
【請求項９】
前記１つまたは複数の関係側面ニューロンが、前記求心性ニューロンの樹状突起まで垂直に延びて、そこに結合するために遅延を受ける軸索を有する、請求項１に記載の方法。
【請求項１０】
前記１つまたは複数の基準ニューロンが、広がって、多様な遅延プロファイルを有する複数の求心性ニューロン軸索と結合する十字型の樹枝状プロセスを有する、請求項１に記載の方法。
【請求項１１】
前記１つまたは複数の基準ニューロンが、前記１つまたは複数の基準ニューロンに近接する他の基準ニューロンによって横方向に抑制される、請求項１に記載の方法。
【請求項１２】
前記求心性ニューロンから、前記求心性ニューロンとペアにされた前記１つまたは複数の関係側面ニューロンのサブセットまでの入力の遅延が、制約された共通の遅延を備える、請求項１に記載の方法。
【請求項１３】
前記関係側面ニューロンから前記求心性ニューロンまでのフィードバック結合が、近接する求心神経からの抑制性フィードバック、前記基準ニューロンからの抑制性フィードバック、あるいは１つもしくは複数の求心神経、前記１つもしくは複数の関係側面ニューロン、または前記１つもしくは複数の基準ニューロンからの入力を受ける１つもしくは複数の介在ニューロンのうちの少なくとも１つによってプレシナプス性に（pre-synaptically）抑制される、請求項１に記載の方法。
【請求項１４】
前記求心性ニューロンのうちの１つと、その１つの求心性ニューロンとペアにされた前記関係側面ニューロンのうちの１つとの間の結合性側面が、成長プロセスの中で学習される、請求項１に記載の方法。
【請求項１５】
前記結合性側面が遅延を備える、請求項１４に記載の方法。
【請求項１６】
ニューラル構成要素リプレイのための装置であって、
１つまたは複数の基準ニューロンを用いて複数の求心性ニューロン出力内のパターンを参照するように構成された第１の回路と、
構造可塑性学習則を使用して１つまたは複数の関係側面ニューロンを用いて、前記複数の求心性ニューロン出力内の前記パターンと前記１つまたは複数の基準ニューロンの出力との間の１つまたは複数の関係側面を学習するように構成された第２の回路と、
前記１つまたは複数の基準ニューロンによって前記参照されたパターンと同じパターンを出力するように前記複数の求心性ニューロンのうちの１つまたは複数を誘発するように構成された第３の回路とを備える、装置。
【請求項１７】
無監督で学習することが、前記パターン、前記参照、または前記関係側面のうちの少なくとも１つを学習するために使用され、
前記無監督で学習することが、ニューロンに関連するシナプスの重み、遅延および入力を制御するスパイクタイミング依存可塑性および前記構造可塑性学習則を備え、
前記構造可塑性学習則が、遅延の可変性、遅延の範囲、入力、重み範囲、または重み可変性のうちの少なくとも１つを備える前記ニューロンまたはそれらのプロセスの間の構造関係によって制約される、請求項１６に記載の装置。
【請求項１８】
前記構造可塑性学習則に対する制約モデルが、平行または十字型の樹枝状の軸および軸索プロセスに対応する遅延、樹枝状の軸または軸索プロセスの近接性または広がりに基づく入力ニューロン、あるいは根元または頂点の樹枝状プロセスに関する遅延のうちの少なくとも１つに対する制限を備える、請求項１６に記載の装置。
【請求項１９】
前記関係側面ニューロンのそれぞれまたは前記基準ニューロンのそれぞれの少なくとも一方が、複数のパターン照合ニューロンに潜在的に結合され、
前記潜在的結合が、再使用可能なシナプス結合を備え、
前記シナプスが、前記シナプス結合の重みおよび前記シナプスが結合するニューロンのプロセスまたは前記ニューロンの構造的制約に基づく新しい遅延を伴って再使用される、請求項１６に記載の装置。
【請求項２０】
前記関係側面ニューロンのそれぞれまたは前記基準ニューロンのそれぞれの少なくとも一方が、複数のパターン照合ニューロンに潜在的に結合され、
前記潜在的結合が、可変遅延を有するシナプス結合を備え、
前記遅延が、前記シナプス結合の重みおよび前記シナプスが結合するニューロンのプロセスまたは前記ニューロンの構造的制約に基づいて変化させられる、請求項１６に記載の装置。
【請求項２１】
前記関係側面ニューロンのそれぞれまたは前記基準ニューロンのそれぞれの少なくとも一方が、複数の結合によって複数のパターン照合ニューロンに潜在的に結合され、
前記潜在的結合が、遅延を有するシナプス結合を備え、
前記複数の結合が、前記シナプスが結合するニューロンのプロセスまたは前記ニューロンの構造的制約に基づいて設定される前記遅延の範囲を有する、請求項１６に記載の装置。
【請求項２２】
前記１つまたは複数の関係側面ニューロンが、ニューロン間に可変遅延を含むシナプス結合パラメータの範囲を許容する、基準ニューロンの軸索プロセスに平行な樹枝状プロセスを有する、請求項１６に記載の装置。
【請求項２３】
前記１つまたは複数の関係側面ニューロンが、前記１つまたは複数の関係側面ニューロンを求心性軸索に結合する、頂点のプロセスより大きい遅延を有する末端の樹枝状プロセスと関連付けられる、請求項１６に記載の装置。
【請求項２４】
前記１つまたは複数の関係側面ニューロンが、前記求心性ニューロンの樹状突起まで垂直に延びて、そこに結合するために遅延を受ける軸索を有する、請求項１６に記載の装置。
【請求項２５】
前記１つまたは複数の基準ニューロンが、広がって、多様な遅延プロファイルを有する複数の求心性ニューロン軸索と結合する十字型の樹枝状プロセスを有する、請求項１６に記載の装置。
【請求項２６】
前記１つまたは複数の基準ニューロンが、前記１つまたは複数の基準ニューロンに近接する他の基準ニューロンによって横方向に抑制される、請求項１６に記載の装置。
【請求項２７】
前記求心性ニューロンから、前記求心性ニューロンとペアにされた前記１つまたは複数の関係側面ニューロンのサブセットまでの入力の遅延が、制約された共通の遅延を備える、請求項１６に記載の装置。
【請求項２８】
前記関係側面ニューロンから前記求心性ニューロンまでのフィードバック結合が、近接する求心神経からの抑制性フィードバック、前記基準ニューロンからの抑制性フィードバック、あるいは１つもしくは複数の求心神経、前記１つもしくは複数の関係側面ニューロン、または前記１つもしくは複数の基準ニューロンからの入力を受ける１つもしくは複数の介在ニューロンのうちの少なくとも１つによってプレシナプス性に抑制される、請求項１６に記載の装置。
【請求項２９】
前記求心性ニューロンのうちの１つと、その１つの求心性ニューロンとペアにされた前記関係側面ニューロンのうちの１つとの間の結合性側面が、成長プロセスの中で学習される、請求項１６に記載の装置。
【請求項３０】
前記結合性側面が遅延を備える、請求項２９に記載の装置。
【請求項３１】
ニューラル構成要素リプレイのための装置であって、
１つまたは複数の基準ニューロンを用いて複数の求心性ニューロン出力内のパターンを参照するための手段と、
構造可塑性学習則を使用して１つまたは複数の関係側面ニューロンを用いて、前記複数の求心性ニューロン出力内の前記パターンと前記１つまたは複数の基準ニューロンの出力との間の１つまたは複数の関係側面を学習するための手段と、
前記１つまたは複数の基準ニューロンによって前記参照されたパターンと同じパターンを出力するように前記複数の求心性ニューロンのうちの１つまたは複数を誘発するための手段とを備える、装置。
【請求項３２】
無監督で学習することが、前記パターン、前記参照、または前記関係側面のうちの少なくとも１つを学習するために使用され、
前記無監督で学習することが、ニューロンに関連するシナプスの重み、遅延および入力を制御するスパイクタイミング依存可塑性および構造可塑性学習則を備え、
前記構造可塑性学習則が、遅延の可変性、遅延の範囲、入力、重み範囲、または重み可変性のうちの少なくとも１つを備える前記ニューロンまたはそれらのプロセスの間の構造関係によって制約される、請求項３１に記載の装置。
【請求項３３】
前記構造可塑性学習則に対する制約モデルが、平行または十字型の樹枝状の軸および軸索プロセスに対応する遅延、樹枝状の軸または軸索プロセスの近接性または広がりに基づく入力ニューロン、あるいは根元または頂点の樹枝状プロセスに関する遅延のうちの少なくとも１つに対する制限を備える、請求項３１に記載の装置。
【請求項３４】
前記関係側面ニューロンのそれぞれまたは前記基準ニューロンのそれぞれの少なくとも一方が、複数のパターン照合ニューロンに潜在的に結合され、
前記潜在的結合が、再使用可能なシナプス結合を備え、
前記シナプスが、前記シナプス結合の重みおよび前記シナプスが結合するニューロンのプロセスまたは前記ニューロンの構造的制約に基づく新しい遅延を伴って再使用される、請求項３１に記載の装置。
【請求項３５】
前記関係側面ニューロンのそれぞれまたは前記基準ニューロンのそれぞれの少なくとも一方が、複数のパターン照合ニューロンに潜在的に結合され、
前記潜在的結合が、可変遅延を有するシナプス結合を備え、
前記遅延が、前記シナプス結合の重みおよび前記シナプスが結合するニューロンのプロセスまたは前記ニューロンの構造的制約に基づいて変化させられる、請求項３１に記載の装置。
【請求項３６】
前記関係側面ニューロンのそれぞれまたは前記基準ニューロンのそれぞれの少なくとも一方が、複数の結合によって複数のパターン照合ニューロンに潜在的に結合され、
前記潜在的結合が、遅延を有するシナプス結合を備え、
前記複数の結合が、前記シナプスが結合するニューロンのプロセスまたは前記ニューロンの構造的制約に基づいて設定される前記遅延の範囲を有する、請求項３１に記載の装置。
【請求項３７】
前記１つまたは複数の関係側面ニューロンが、ニューロン間に可変遅延を含むシナプス結合パラメータの範囲を許容する、基準ニューロンの軸索プロセスに平行な樹枝状プロセスを有する、請求項３１に記載の装置。
【請求項３８】
前記１つまたは複数の関係側面ニューロンが、前記１つまたは複数の関係側面ニューロンを求心性軸索に結合する、頂点のプロセスより大きい遅延を有する末端の樹枝状プロセスと関連付けられる、請求項３１に記載の装置。
【請求項３９】
前記１つまたは複数の関係側面ニューロンが、前記求心性ニューロンの樹状突起まで垂直に延びて、そこに結合するために遅延を受ける軸索を有する、請求項３１に記載の装置。
【請求項４０】
前記１つまたは複数の基準ニューロンが、広がって、多様な遅延プロファイルを有する複数の求心性ニューロン軸索と結合する十字型の樹枝状プロセスを有する、請求項３１に記載の装置。
【請求項４１】
前記１つまたは複数の基準ニューロンが、前記１つまたは複数の基準ニューロンに近接する他の基準ニューロンによって横方向に抑制される、請求項３１に記載の装置。
【請求項４２】
前記求心性ニューロンから、前記求心性ニューロンとペアにされた前記１つまたは複数の関係側面ニューロンのサブセットまでの入力の遅延が、制約された共通の遅延を備える、請求項３１に記載の装置。
【請求項４３】
前記関係側面ニューロンから前記求心性ニューロンまでのフィードバック結合が、近接する求心神経からの抑制性フィードバック、前記基準ニューロンからの抑制性フィードバック、あるいは１つもしくは複数の求心神経、前記１つもしくは複数の関係側面ニューロン、または前記１つもしくは複数の基準ニューロンからの入力を受ける１つもしくは複数の介在ニューロンのうちの少なくとも１つによってプレシナプス性に抑制される、請求項３１に記載の装置。
【請求項４４】
前記求心性ニューロンのうちの１つと、その１つの求心性ニューロンとペアにされた前記関係側面ニューロンのうちの１つとの間の結合性側面が、成長プロセスの中で学習される、請求項３１に記載の装置。
【請求項４５】
前記結合性側面が遅延を備える、請求項４４に記載の装置。
【請求項４６】
非一時的コンピュータ可読媒体を備えるニューラル構成要素リプレイのためのコンピュータプログラム製品であって、前記非一時的コンピュータ可読媒体が、
１つまたは複数の基準ニューロンを用いて複数の求心性ニューロン出力内のパターンを参照し、
構造可塑性学習則を使用して１つまたは複数の関係側面ニューロンを用いて、前記複数の求心性ニューロン出力内の前記パターンと前記１つまたは複数の基準ニューロンの出力との間の１つまたは複数の関係側面を学習し、
前記１つまたは複数の基準ニューロンによって前記参照されたパターンと同じパターンを出力するように前記複数の求心性ニューロンのうちの１つまたは複数を誘発するためのコードを備える、コンピュータプログラム製品。
【手続補正２】
【補正対象書類名】明細書
【補正対象項目名】０２３０
【補正方法】変更
【補正の内容】
【０２３０】
上記は本開示の態様を対象とするが、本開示の他の態様およびさらなる態様は、それらの基本的範囲から逸脱することなく考案され得、それらの範囲は以下の特許請求の範囲によって判断される。
以下に本願発明の当初の特許請求の範囲に記載された発明を付記する。
［Ｃ１］
ニューラル構成要素リプレイの方法であって、
１つまたは複数の基準ニューロンを用いて複数の求心性ニューロン出力内のパターンを参照することと、
構造可塑性を使用して１つまたは複数の関係側面ニューロンを用いて、前記複数の求心性ニューロン出力内の前記パターンと前記１つまたは複数の基準ニューロンの出力との間の１つまたは複数の関係側面を学習することと、
前記１つまたは複数の基準ニューロンによって前記参照されたパターンと実質的に類似するパターンを出力するように前記複数の求心性ニューロンのうちの１つまたは複数を誘発することとを備える、方法。
［Ｃ２］
無監督で学習することが、前記パターン、前記参照、または前記関係側面のうちの少なくとも１つを学習するために使用され、
前記無監督で学習することが、ニューロンに関連するシナプスの重み、遅延および入力を制御するスパイクタイミング依存可塑性および前記構造可塑性を備え、
前記構造可塑性が、遅延の可変性、遅延の範囲、入力、重み範囲、または重み可変性のうちの少なくとも１つを備える前記ニューロンまたはそれらのプロセスの間の構造関係によって制約される、Ｃ１に記載の方法。
［Ｃ３］
前記構造可塑性に対する制約モデルが、平行または十字型の（cruciate）樹枝状の軸および軸索プロセスに対応する遅延、樹枝状の軸または軸索プロセスの近接性または広がりに基づく入力ニューロン、あるいは根元または頂点の樹枝状プロセスに関する遅延のうちの少なくとも１つに対する制限を備える、Ｃ１に記載の方法。
［Ｃ４］
前記関係側面ニューロンのそれぞれまたは前記基準ニューロンのそれぞれの少なくとも一方が、複数のパターン照合ニューロンに潜在的に結合され、
前記潜在的結合が、再使用可能なシナプス結合を備え、
前記シナプスが、前記シナプス結合の重みおよび前記シナプスが結合するニューロンのプロセスまたは前記ニューロンの構造的制約に基づく新しい遅延を伴って再使用される、Ｃ１に記載の方法。
［Ｃ５］
前記関係側面ニューロンのそれぞれまたは前記基準ニューロンのそれぞれの少なくとも一方が、複数のパターン照合ニューロンに潜在的に結合され、
前記潜在的結合が、可変遅延を有するシナプス結合を備え、
前記遅延が、前記シナプス結合の重みおよび前記シナプスが結合するニューロンのプロセスまたは前記ニューロンの構造的制約に基づいて変化させられる、Ｃ１に記載の方法。
［Ｃ６］
前記関係側面ニューロンのそれぞれまたは前記基準ニューロンのそれぞれの少なくとも一方が、複数の結合によって複数のパターン照合ニューロンに潜在的に結合され、
前記潜在的結合が、遅延を有するシナプス結合を備え、
前記複数の結合が、前記シナプスが結合するニューロンのプロセスまたは前記ニューロンの構造的制約に基づいて設定される前記遅延の範囲を有する、Ｃ１に記載の方法。
［Ｃ７］
前記１つまたは複数の関係側面ニューロンが、ニューロン間に可変遅延を含むシナプス結合パラメータの範囲を許容する、基準ニューロンの軸索プロセスに平行な樹枝状プロセスを有する、Ｃ１に記載の方法。
［Ｃ８］
前記１つまたは複数の関係側面ニューロンが、前記１つまたは複数の関係側面ニューロンを求心性軸索に結合する、頂点のプロセスより大きい遅延を有する末端の樹枝状プロセスと関連付けられる、Ｃ１に記載の方法。
［Ｃ９］
前記１つまたは複数の関係側面ニューロンが、前記求心性ニューロンの樹状突起まで垂直に延びて、そこに結合するために遅延を受ける軸索を有する、Ｃ１に記載の方法。
［Ｃ１０］
前記１つまたは複数の基準ニューロンが、広がって、多様な遅延プロファイルを有する複数の求心性ニューロン軸索と結合する十字型の樹枝状プロセスを有する、Ｃ１に記載の方法。
［Ｃ１１］
前記１つまたは複数の基準ニューロンが、前記１つまたは複数の基準ニューロンに近接する他の基準ニューロンによって横方向に抑制される、Ｃ１に記載の方法。
［Ｃ１２］
前記求心性ニューロンから、前記求心性ニューロンとペアにされた前記１つまたは複数の関係側面ニューロンのサブセットまでの入力の遅延が、制約された共通の遅延を備える、Ｃ１に記載の方法。
［Ｃ１３］
前記関係側面ニューロンから前記求心性ニューロンまでのフィードバック結合が、近接する求心神経からの抑制性フィードバック、前記基準ニューロンからの抑制性フィードバック、あるいは１つもしくは複数の求心神経、前記１つもしくは複数の関係側面ニューロン、または前記１つもしくは複数の基準ニューロンからの入力を受ける１つもしくは複数の介在ニューロンのうちの少なくとも１つによってプレシナプス性に（pre-synaptically）抑制される、Ｃ１に記載の方法。
［Ｃ１４］
前記求心性ニューロンのうちの１つと、その１つの求心性ニューロンとペアにされた前記関係側面ニューロンのうちの１つとの間の結合性側面が、成長プロセスの中で学習される、Ｃ１に記載の方法。
［Ｃ１５］
前記結合性側面が遅延を備える、Ｃ１４に記載の方法。
［Ｃ１６］
ニューラル構成要素リプレイのための装置であって、
１つまたは複数の基準ニューロンを用いて複数の求心性ニューロン出力内のパターンを参照するように構成された第１の回路と、
構造可塑性を使用して１つまたは複数の関係側面ニューロンを用いて、前記複数の求心性ニューロン出力内の前記パターンと前記１つまたは複数の基準ニューロンの出力との間の１つまたは複数の関係側面を学習するように構成された第２の回路と、
前記１つまたは複数の基準ニューロンによって前記参照されたパターンと実質的に類似するパターンを出力するように前記複数の求心性ニューロンのうちの１つまたは複数を誘発するように構成された第３の回路とを備える、装置。
［Ｃ１７］
無監督で学習することが、前記パターン、前記参照、または前記関係側面のうちの少なくとも１つを学習するために使用され、
前記無監督で学習することが、ニューロンに関連するシナプスの重み、遅延および入力を制御するスパイクタイミング依存可塑性および前記構造可塑性を備え、
前記構造可塑性が、遅延の可変性、遅延の範囲、入力、重み範囲、または重み可変性のうちの少なくとも１つを備える前記ニューロンまたはそれらのプロセスの間の構造関係によって制約される、Ｃ１６に記載の装置。
［Ｃ１８］
前記構造可塑性に対する制約モデルが、平行または十字型の樹枝状の軸および軸索プロセスに対応する遅延、樹枝状の軸または軸索プロセスの近接性または広がりに基づく入力ニューロン、あるいは根元または頂点の樹枝状プロセスに関する遅延のうちの少なくとも１つに対する制限を備える、Ｃ１６に記載の装置。
［Ｃ１９］
前記関係側面ニューロンのそれぞれまたは前記基準ニューロンのそれぞれの少なくとも一方が、複数のパターン照合ニューロンに潜在的に結合され、
前記潜在的結合が、再使用可能なシナプス結合を備え、
前記シナプスが、前記シナプス結合の重みおよび前記シナプスが結合するニューロンのプロセスまたは前記ニューロンの構造的制約に基づく新しい遅延を伴って再使用される、Ｃ１６に記載の装置。
［Ｃ２０］
前記関係側面ニューロンのそれぞれまたは前記基準ニューロンのそれぞれの少なくとも一方が、複数のパターン照合ニューロンに潜在的に結合され、
前記潜在的結合が、可変遅延を有するシナプス結合を備え、
前記遅延が、前記シナプス結合の重みおよび前記シナプスが結合するニューロンのプロセスまたは前記ニューロンの構造的制約に基づいて変化させられる、Ｃ１６に記載の装置。
［Ｃ２１］
前記関係側面ニューロンのそれぞれまたは前記基準ニューロンのそれぞれの少なくとも一方が、複数の結合によって複数のパターン照合ニューロンに潜在的に結合され、
前記潜在的結合が、遅延を有するシナプス結合を備え、
前記複数の結合が、前記シナプスが結合するニューロンのプロセスまたは前記ニューロンの構造的制約に基づいて設定される前記遅延の範囲を有する、Ｃ１６に記載の装置。
［Ｃ２２］
前記１つまたは複数の関係側面ニューロンが、ニューロン間に可変遅延を含むシナプス結合パラメータの範囲を許容する、基準ニューロンの軸索プロセスに平行な樹枝状プロセスを有する、Ｃ１６に記載の装置。
［Ｃ２３］
前記１つまたは複数の関係側面ニューロンが、前記１つまたは複数の関係側面ニューロンを求心性軸索に結合する、頂点のプロセスより大きい遅延を有する末端の樹枝状プロセスと関連付けられる、Ｃ１６に記載の装置。
［Ｃ２４］
前記１つまたは複数の関係側面ニューロンが、前記求心性ニューロンの樹状突起まで垂直に延びて、そこに結合するために遅延を受ける軸索を有する、Ｃ１６に記載の装置。
［Ｃ２５］
前記１つまたは複数の基準ニューロンが、広がって、多様な遅延プロファイルを有する複数の求心性ニューロン軸索と結合する十字型の樹枝状プロセスを有する、Ｃ１６に記載の装置。
［Ｃ２６］
前記１つまたは複数の基準ニューロンが、前記１つまたは複数の基準ニューロンに近接する他の基準ニューロンによって横方向に抑制される、Ｃ１６に記載の装置。
［Ｃ２７］
前記求心性ニューロンから、前記求心性ニューロンとペアにされた前記１つまたは複数の関係側面ニューロンのサブセットまでの入力の遅延が、制約された共通の遅延を備える、Ｃ１６に記載の装置。
［Ｃ２８］
前記関係側面ニューロンから前記求心性ニューロンまでのフィードバック結合が、近接する求心神経からの抑制性フィードバック、前記基準ニューロンからの抑制性フィードバック、あるいは１つもしくは複数の求心神経、前記１つもしくは複数の関係側面ニューロン、または前記１つもしくは複数の基準ニューロンからの入力を受ける１つもしくは複数の介在ニューロンのうちの少なくとも１つによってプレシナプス性に抑制される、Ｃ１６に記載の装置。
［Ｃ２９］
前記求心性ニューロンのうちの１つと、その１つの求心性ニューロンとペアにされた前記関係側面ニューロンのうちの１つとの間の結合性側面が、成長プロセスの中で学習される、Ｃ１６に記載の装置。
［Ｃ３０］
前記結合性側面が遅延を備える、Ｃ２９に記載の装置。
［Ｃ３１］
ニューラル構成要素リプレイのための装置であって、
１つまたは複数の基準ニューロンを用いて複数の求心性ニューロン出力内のパターンを参照するための手段と、
構造可塑性を使用して１つまたは複数の関係側面ニューロンを用いて、前記複数の求心性ニューロン出力内の前記パターンと前記１つまたは複数の基準ニューロンの出力との間の１つまたは複数の関係側面を学習するための手段と、
前記１つまたは複数の基準ニューロンによって前記参照されたパターンと実質的に類似するパターンを出力するように前記複数の求心性ニューロンのうちの１つまたは複数を誘発するための手段とを備える、装置。
［Ｃ３２］
無監督で学習することが、前記パターン、前記参照、または前記関係側面のうちの少なくとも１つを学習するために使用され、
前記無監督で学習することが、ニューロンに関連するシナプスの重み、遅延および入力を制御するスパイクタイミング依存可塑性および構造可塑性を備え、
前記構造可塑性が、遅延の可変性、遅延の範囲、入力、重み範囲、または重み可変性のうちの少なくとも１つを備える前記ニューロンまたはそれらのプロセスの間の構造関係によって制約される、Ｃ３１に記載の装置。
［Ｃ３３］
前記構造可塑性に対する制約モデルが、平行または十字型の樹枝状の軸および軸索プロセスに対応する遅延、樹枝状の軸または軸索プロセスの近接性または広がりに基づく入力ニューロン、あるいは根元または頂点の樹枝状プロセスに関する遅延のうちの少なくとも１つに対する制限を備える、Ｃ３１に記載の装置。
［Ｃ３４］
前記関係側面ニューロンのそれぞれまたは前記基準ニューロンのそれぞれの少なくとも一方が、複数のパターン照合ニューロンに潜在的に結合され、
前記潜在的結合が、再使用可能なシナプス結合を備え、
前記シナプスが、前記シナプス結合の重みおよび前記シナプスが結合するニューロンのプロセスまたは前記ニューロンの構造的制約に基づく新しい遅延を伴って再使用される、Ｃ３１に記載の装置。
［Ｃ３５］
前記関係側面ニューロンのそれぞれまたは前記基準ニューロンのそれぞれの少なくとも一方が、複数のパターン照合ニューロンに潜在的に結合され、
前記潜在的結合が、可変遅延を有するシナプス結合を備え、
前記遅延が、前記シナプス結合の重みおよび前記シナプスが結合するニューロンのプロセスまたは前記ニューロンの構造的制約に基づいて変化させられる、Ｃ３１に記載の装置。
［Ｃ３６］
前記関係側面ニューロンのそれぞれまたは前記基準ニューロンのそれぞれの少なくとも一方が、複数の結合によって複数のパターン照合ニューロンに潜在的に結合され、
前記潜在的結合が、遅延を有するシナプス結合を備え、
前記複数の結合が、前記シナプスが結合するニューロンのプロセスまたは前記ニューロンの構造的制約に基づいて設定される前記遅延の範囲を有する、Ｃ３１に記載の装置。
［Ｃ３７］
前記１つまたは複数の関係側面ニューロンが、ニューロン間に可変遅延を含むシナプス結合パラメータの範囲を許容する、基準ニューロンの軸索プロセスに平行な樹枝状プロセスを有する、Ｃ３１に記載の装置。
［Ｃ３８］
前記１つまたは複数の関係側面ニューロンが、前記１つまたは複数の関係側面ニューロンを求心性軸索に結合する、頂点のプロセスより大きい遅延を有する末端の樹枝状プロセスと関連付けられる、Ｃ３１に記載の装置。
［Ｃ３９］
前記１つまたは複数の関係側面ニューロンが、前記求心性ニューロンの樹状突起まで垂直に延びて、そこに結合するために遅延を受ける軸索を有する、Ｃ３１に記載の装置。
［Ｃ４０］
前記１つまたは複数の基準ニューロンが、広がって、多様な遅延プロファイルを有する複数の求心性ニューロン軸索と結合する十字型の樹枝状プロセスを有する、Ｃ３１に記載の装置。
［Ｃ４１］
前記１つまたは複数の基準ニューロンが、前記１つまたは複数の基準ニューロンに近接する他の基準ニューロンによって横方向に抑制される、Ｃ３１に記載の装置。
［Ｃ４２］
前記求心性ニューロンから、前記求心性ニューロンとペアにされた前記１つまたは複数の関係側面ニューロンのサブセットまでの入力の遅延が、制約された共通の遅延を備える、Ｃ３１に記載の装置。
［Ｃ４３］
前記関係側面ニューロンから前記求心性ニューロンまでのフィードバック結合が、近接する求心神経からの抑制性フィードバック、前記基準ニューロンからの抑制性フィードバック、あるいは１つもしくは複数の求心神経、前記１つもしくは複数の関係側面ニューロン、または前記１つもしくは複数の基準ニューロンからの入力を受ける１つもしくは複数の介在ニューロンのうちの少なくとも１つによってプレシナプス性に抑制される、Ｃ３１に記載の装置。
［Ｃ４４］
前記求心性ニューロンのうちの１つと、その１つの求心性ニューロンとペアにされた前記関係側面ニューロンのうちの１つとの間の結合性側面が、成長プロセスの中で学習される、Ｃ３１に記載の装置。
［Ｃ４５］
前記結合性側面が遅延を備える、Ｃ４４に記載の装置。
［Ｃ４６］
コンピュータ可読媒体を備えるニューラル構成要素リプレイのためのコンピュータプログラム製品であって、前記コンピュータ可読媒体が、
１つまたは複数の基準ニューロンを用いて複数の求心性ニューロン出力内のパターンを参照し、
構造可塑性を使用して１つまたは複数の関係側面ニューロンを用いて、前記複数の求心性ニューロン出力内の前記パターンと前記１つまたは複数の基準ニューロンの出力との間の１つまたは複数の関係側面を学習し、
前記１つまたは複数の基準ニューロンによって前記参照されたパターンと実質的に類似するパターンを出力するように前記複数の求心性ニューロンのうちの１つまたは複数を誘発するためのコードを備える、コンピュータプログラム製品。